(57)【要約】【課題】容器の径や形状に応じて容器収納部を拡縮できるようにした。【解決手段】固定壁９の下部に支持台１０を一体化したホルダ本体２と、本体２の支持台１０上に所定隙間を明けて固定される固定底板３と、支持台１０の上面と固定底板３の間にあって固定壁９に向けて移動可能に支持された底板１２を有し、かつ周囲に側壁１４を立設した可動スライド部材４と、可動スライド部材４に連動機構を介して移動可能であって、周囲に側壁１９を設けた複数の従動スライド部材５とを備え、可動スライド部材４が固定壁９に向けて最接近位置に位置した状態で、隣接する側壁１４，１９および固定壁９の縁部同士が互いに接して最小径の容器収納部が形成されるとともに、可動スライド部材４が固定壁９から離間するにつれ、各側壁１４，１９および固定壁９の縁部同士が離間した状態で拡径した容器収納部が形成されるようにした。【選択図】      図２
0003140133.tif 000002
【実用新案登録請求の範囲】
【請求項１】
固定壁（９）の下部に支持台（１０）を一体化したホルダ本体（２）と、ホルダ本体（２）の支持台（１０）上に所定隙間を明けて固定される固定底板（３）と、支持台（１０）の上面と固定底板（３）の間にあって、前記固定壁（９）に向けて移動可能に支持された底板（１２）を有し、かつ周囲に側壁（１４）を立設した可動スライド部材（４）と、可動スライド部材（４）に連動機構を介して移動可能であって、周囲に側壁（１９）を設けた左右の従動スライド部材（５）とを備え、
前記可動スライド部材（４）が固定壁（９）に向けて最接近位置に位置した状態で、隣接する側壁（１４，１９）および固定壁（９）の縁部同士が互いに接して最小径の容器収納部が形成されるとともに、可動スライド部材（４）が固定壁（９）から離間するにつれ、各側壁（１４，１９）および固定壁（９）の縁部同士が離間した状態で拡径した容器収納部が形成されるようにしたことを特徴とする車載用ドリンクホルダー。
【請求項２】
前記可動スライド部材（４）の底板（１２）には、前記固定底板（３）の下部に突設された少なくとも１対の固定用ボス部（１１）に挿通されて移動ガイドされる少なくとも１対の平行なガイド用スリット（１５）を形成したことを特徴とする請求項１記載の車載用ドリンクホルダー。
【請求項３】
前記可動スライド部材（４）と従動スライド部材（５）の連動機構は、従動スライド部材（１５）に設けた底板（１８）に、可動スライド部材（４）の底板（１２）上に突設されたガイドブロック（１６）に挿通されて前記容器収納部の径方向に向けて移動可能なガイド用スリット（２０）を形成したことを特徴とする請求項１または２に記載の車載用ドリンクホルダー。
【請求項４】
前記可動スライド部材（４）の底板（１２）の底面およびホルダ本体（２）の支持台（１０）上面の一方に、可動スライド部材（４）の移動方向に沿ってラチェット歯（１２ａ）を刻設するとともに、他方にはこのラチェット歯（１２ａ）に噛合するラチェット爪（１７）を設けたことを特徴とする請求項１〜３のいずれかに記載の車載用ドリンクホルダー。
【請求項５】
前記ホルダ本体は、車内の空調吹出口位置に固定されているとともに、その前記固定壁（９）には、容器収納部を空調吹出口に連通させる開口部（９ａ）が形成されていることを特徴とする請求項１〜４のいずれかに記載の車載用ドリンクホルダー。
【考案の詳細な説明】
【技術分野】
【０００１】
本考案は、各種容積のペットボトルや缶などをその大きさ、形状に適合させて拘束状態で設置できるようにした車載用ドリンクホルダーに関するものである。
【背景技術】
【０００２】
車室内用のドリンクホルダーは、一般に、車室内におけるセンターコンソールなどに備付けられているが、飲料容器の外径に対して、支持部分の内径が広すぎる場合が多く、容器との間にがたが生じ、低級雑音の原因となるほか、ペットボトルのように背の高い容器の場合には、保持が不安定になる。
【０００３】
これに対し、カーアクセサリー用品店などでは後付け用のドリンクホルダーが販売されている。この種の後付用のドリンクホルダーの一例として、例えば下記特許文献１に示す構造のものがある。このものは空調吹出口近傍にホルダーを取付けるための構造が開示されており、空調吹出口近傍に物品を保持するため、飲料物などでは、その空調温度に保たれる利点がある。
【０００４】
また、下記特許文献２に示すものは、特に車載用としてはいないが、ばね力を利用してピンチ式に小物物品を拘束状態に保持する構造が開示されており、がたつきを防止できるなどの効果がある。
【特許文献１】特許第３５９３５３３号公報
【特許文献２】特開２００１−５８６４４号公報
【考案の開示】
【考案が解決しようとする課題】
【０００５】
特許文献１の構造では、特に物品を載置状態で拘束保持することについては開示されておらず、がたつきや、これに伴う低級雑音への対策は示唆されていない。また、特許文献２の構造では、主として物品を横向き状態に保持するものであるため、例えばペットボトルなど閉蓋可能な容器の保存は可能であるが、缶飲料など一旦プルトップを明けてしまったり、紙パック飲料などの開封したものの保存には不適である課題があった。
【０００６】
本考案は以上の課題を解決するものであり、その目的とするところは、飲料缶、ペットボトル、紙パック容器などの容器の径や形状に応じて容器収納部を拡縮し、その内部に容器を拘束状態に設置できるようにした車載用ドリンクホルダーを提供するものである。
【課題を解決するための手段】
【０００７】
前記の目的を達成するため、本考案の車載用ドリンクホルダーは、車室内の適宜位置に固定され、かつ固定壁９の下部に支持台１０を一体化したホルダ本体２と、本体２の支持台１０上に所定隙間を明けて固定される固定底板３と、支持台１０の上面と固定底板３の間にあって前記固定壁９に向けて移動可能に支持された底板１２を有し、かつ周囲に側壁１４を立設した可動スライド部材４と、可動スライド部材４に連動機構を介して移動可能であって、周囲に側壁１９を設けた複数の従動スライド部材５とを備え、
前記可動スライド部材４が固定壁９に向けて最接近位置に位置した状態で、隣接する側壁１４，１９および固定壁９の縁部同士が互いに接して最小径の容器収納部が形成されるとともに、可動スライド部材４が固定壁から離間するにつれ、各側壁１４，１９および固定壁９の縁部同士が離間した状態で拡径した容器収納部が形成されるようにしたことを特徴としている。
【０００８】
また、本考案では、可動スライド部材４の底板１２には、前記固定底板３の下部に突設された少なくとも１対の固定用ボス部１１に挿通されて移動ガイドされる少なくとも１対の平行なガイド用スリット１５を形成することが望ましい。
【０００９】
さらに、前記可動スライド部材４と従動スライド部材５の連動機構は、従動スライド部材５に設けた底板１８に、可動スライド部材４の底板１２上に突設されたガイドブロック１６に挿通されて前記容器収納部の径方向に向けて移動可能なガイド用スリット２０を形成しておくことが望ましい。
【００１０】
またさらに、本考案では、前記可動スライド部材４の底板１２の底面およびホルダ本体２の支持台１０上面の一方に、可動スライド部材４の移動方向に沿ってラチェット歯１２ａを刻設するとともに、他方にはこのラチェット歯１２ａに噛合するラチェット爪１７を設けておくことが望ましい。
【００１１】
本考案では、前記ホルダ本体は、車内の空調吹出口位置に固定されているとともに、固定壁９には、容器収納部を空調吹出口に連通させる開口部９ａが形成されていることが望ましい。
【考案の効果】
【００１２】
本考案によれば、容器の大きさ、形状に適合して容器収容部の大きさを可変できるため、容器収容部と容器缶にがたが生ずることがなく、低級雑音を未然に防止できる。
【００１３】
請求項２によれば、可動スライド部材の移動を精度よく行うことができる。
【００１４】
請求項３によれば、可動スライド部材に対する従動スライド部材の連動を簡単な機構で行うことができる。
【００１５】
請求項４によれば、可動スライド部材に外力を加えない限りは拡縮することがないため、容器を確実に拘束できる。
【００１６】
請求項５によれば、開口部を通じて空調空気を容器収納部内に導入できるので、空調温度に適合した温度に飲料温度を保持できる。
【考案を実施するための最良の形態】
【００１７】
図１は本考案に係るドリンクホルダーの部品構成を示す、分解斜視図である。図において、このドリンクホルダー１は、空調吹出口のルーバなどに固定されるホルダ本体２と、本体２の前部に固定される固定底板３と、固定底板３にガイドされて前後方向移動可能に支持された可動式の前部スライド部材４と、前部スライド部材４に連動して左右方向移動可能に支持された左右１対の従動スライド部材５と、本体２の下面に配置されるストッパ６、および底板３の上面に敷設されるクッションパッド７を備えている。
【００１８】
前記本体２は、背面にフック部８を突設した固定壁９と、固定壁９の前方下部に一体化され、前記底板３を上部に固定するとともに、下面にストッパ６を移動可能に支持する水平な支持台１０を備えており、固定壁９の下部側には、空調空気の導入用開口部９ａが開口形成されている。
【００１９】
前記固定底板３は、支持台１０の上面中央に形成された凹部１０ａを上下に貫通する４つのビス固定具Ｂを介して支持台１０上に固定されるものであり、固定底板３の下面に突設されたビス挿通用の４つのボス部１１のうち、前部側の１対のボス部１１は、前部スライド部材４のガイドポストを兼用している。ボス部１１は圧入などにより固定具を用いることなく固定されていても良い。また底板３の下面には、図示省略するが、左右の従動スライド部材５を摺動ガイドするガイドリブが突設されている。
【００２０】
前部スライド部材４は、前記凹部１０ａ内に前後移動可能に取付けられる底板１２と、底板１２の前部に垂直に立設された側板１４とを備えている。底板１２には、前記固定底板３のボス部１１が挿通される１対のガイドスリット１５が前後方向に形成されているとともに、底板１２の後端上部には各ガイドスリット１５に対し、４５°および−４５°の角度をなしてダルマ状の１対のガイドブロック１６が突設され、これによって、従動スライド部材５は、前部スライド部材４のスライド操作に連動して左右方向に移動可能となっている。
【００２１】
また、底板１２の下面にはその前後方向に沿って後述するラチェット歯が刻設され、これに対応して支持台１０側の凹部１０ａの前部中央にはこのラチェット歯に噛合するラチェット爪１７が上向き傾斜で突設され、前後方向に摺動操作した状態で適度な操作感を得られるようにしているとともに、操作停止状態ではその停止位置にロックされるようにしている。
【００２２】
従動スライド部材５は、前部スライド部材４の底板１２上にスライド可能に設置される薄板状の底板１８と、底板１８の左右にそれぞれ垂直に立設された側板１９とを備え、各底板１８にはガイドブロック１６に沿って移動可能なスリット２０が形成されている。なお、図中符号１９ａは、側板１９の内側の上部位置に設けられた容器を保持するリブであって、該容器を保持するリブ１９ａにより、容器３０、４０又は５０を保持する。
【００２３】
前記ストッパ６は、前記フック部８と協働して本体１を空調吹出口近傍に固定するものである。すなわち、フック部８をルーバなどの適宜位置に引掛け係止する一方で、ストッパ６の後端を空調吹出口の近傍に度当りさせておくことにより、本体１を適度な角度姿勢に保持するものであり、このストッパ６は、支持台１０の下面にスライド可能に取着されたスライドバー２１と、スライドバー２１の後端にこれと直交して一体化されたストッパ板２２とを備え、スライドバー２１の中央には長孔２３が形成されているとともに、長孔２３の両側には、一方向ラチェット歯２４が形成されている。このラチェット歯２４に対応して、凹部１０ａの後部にはラチェット爪２５が下向き傾斜で突設され、後部側へのストッパ板２２の突出操作時にノッチ音などにより操作感を伴って突出動作がなされ、その突出位置にロックされるようになっている。
【００２４】
図２は、本体１に固定底板３および各スライド部材４，５を組付けた状態の平面図および部底面図を示すものであり、固定底板３のみは想像線で示している。図において、前部スライド部材４の側壁１４の内側にも前記と同じ高さ位置に容器を保持するリブ１４ａが設けられいる。そして、前記各スライド部材４，５の側板１４、１９はそれぞれ、周方向に等角度で３面となっており、また、固定壁９の後部側も等角度で３面となっており、各スライド部材４，５を完全に縮径した状態では、特に図２（ａ）および、図３（ａ）に示すように、ほぼ正１２角形状をなして閉鎖され、円筒類似の容器収容部が形成されることになる。
【００２５】
完全縮径状態で、容器収納部の内径は、図３（ｂ）に示すように、１９０ｍｌ入の小形缶飲料容器３０の外周を拘束できる程度の寸法となっており、従って、小形缶飲料容器３０のホルダとして好適な形状となり、特に外力を加えない限りは、この閉鎖状態に保たれ、容器３０は、底面をクッションパッド７を介して固定底板３上に設置され、その周縁を各側壁１４，１９の容器を保持するリブ１４ａ，１９ａの内側および固定壁９の先端面で保持される。
【００２６】
ドリンクホルダ１に対する容器３０の保持状態で、空調装置を稼働していると、開口部９ａを通じて空調空気が容器３０の外周に吹付けられるため、夏期においては、清涼飲料を冷却状態に保持し、冬季においてはホット飲料のウオーマーとして有効に活用されるものとなる。
【００２７】
完全閉鎖状態から、図２（ｂ）に矢印に示すように、前部スライド部材４を手前側に引くと、ノッチ音を発しつつ、前部スライド部材４を移動させることが可能となるとともに、この移動に連動して左右の従動スライド部材５が左右に移動し、各側壁１４，１９同士は隙間を形成して拡径される。
【００２８】
中程度に拡径した状態では、図４（ａ）に示すように、３５０ｍｌ程度の中形缶飲料容器４０、あるいは同図（ｂ）に示すように、５００ｍｌ入りのペットボトル５０の外周を拘束できる程度の外径寸法となる。この場合において、ペットボトル５０は、背が高く、どうしても支持が不安定となりがちとなるが、ペットボトル５０が入る程度に各スライド部材４，５を拡径し、次いで再度縮径すれば、数ノッチ分だけ縮径して、各容器を保持するリブ１４ａ，１９ａによりペットボトル５０の外周を拘束し、安全な保持ができるものとなる。
【００２９】
次に図２（ｃ）に示すように、最大に拡径した状態では、図５に示すように、角形の紙パック容器６０なども各側壁１４，１９同士の隙間から、その角部を外部に露出させた状態で安定的に支持することができる。
【００３０】
なお、最大拡径状態での底面形状を図２（ｄ）に示す。図において、前部スライド部材４における底板１２の底面中央には、ラチェット爪１７に噛合する前述のラチェット歯１２ａが刻設されていることが示されている。
【００３１】
また、支持台１０の底面には、前記ストッパ６のスライドバー２１の両側を摺動可能に支持する１対のガイド１０ｂが配置されており、スライドバー２１の長孔２３には前記ラチェット爪２５の下面に突出して、ロックを解除するボタン１０ｃが配置され、本体１を空調吹出口から取外す際には、このボタン１０ｃを押すことによりラチェット歯２４からラチェット爪２５が外され、ロック解除されるので、この状態でフック部８をルーバより掛け外すことにより、取外しが可能となっている。
【００３２】
なお、前記実施の形態では、前部スライド部材４と左右の従動スライド部材５の３分割したが、さらに細分割しても良い。また、側壁１４，１９は多角形状でなく、縮径状態で円筒形となる円弧面としても良いことは勿論である。
【図面の簡単な説明】
【００３３】
【図１】本考案に係るドリンクホルダーの部品構成を示す分解斜視図である。
【図２】（ａ）〜（ｃ）は同ドリンクホルダーの完全縮径状態から完全拡径状態までの形状変化を示す平面図、（ｄ）は完全拡径状態における底面図である。
【図３】（ａ）は完全縮径状態におけるドリンクホルダー単体を示す斜視図、（ｂ）は同ドリンクホルダーにより小形缶飲料容器を保持した状態を示す斜視図である。
【図４】（ａ）は同ドリンクホルダーの拡径状態でこれに中形缶飲料容器を保持した状態を示す斜視図、（ｂ）は同じくペットボトルを保持した状態を示す斜視図である。
【図５】同ドリンクホルダーの完全拡径状態でこれに角形の紙パック容器を保持した状態を示す斜視図である。
【符号の説明】
【００３４】
１  ドリンクホルダー
２  ホルダ本体
３  固定底板
４  前部スライド部材（可動スライド部材）
５  従動スライド部材
６  ストッパ
７  クッションパッド
８  フック部
９  固定壁
９ａ  開口部
１０  支持台
１０ａ  凹部
１０ｂ  スライドガイド
１０ｃ  ロック解除用ボタン
１１  ビス受け用ボス部
１２，１８  底板
１４，１９  側板
１４ａ，１９ａ  容器を保持するリブ
１５，２０  スリット
１６  ガイドブロック
１７  ラチェット爪
２１  スライドバー
２２  ストッパ板
２３  長孔
２４  一方向ラチェット歯
２５  ラチェット爪
Ｂ  ビス固定具
【図１】
0003140133.tif 000003
【図２】
0003140133.tif 000004
【図３】
0003140133.tif 000005
【図４】
0003140133.tif 000006
【図５】
0003140133.tif 000007